(57)【要約】【課題】  パッチ作業が比較的に容易な調光操作卓及び該調光操作卓を用いた照明制御システムを提供する。【解決手段】  調光操作卓１において、制御入力部１１１が選択された状態で名称が入力された場合、その名称に予め対応付けられた照明負荷２が、上記の制御入力部１１１に対して対応付けられる。つまり、制御入力部１１１に対して照明負荷２を対応付けるパッチ作業の際には、照明負荷２の指定が名称の入力により行われるので、照明負荷２の指定が番号の入力により行われる場合に比べてパッチ作業が容易となる。【選択図】図１
2015201273.tif 000002
【特許請求の範囲】
【請求項１】
照明負荷に対する調光制御の指示を受け付ける複数個の制御入力部を有して操作入力を受け付ける入力部と、
前記制御入力部と前記照明負荷との対応関係を示す制御テーブルが記憶された記憶部と、
前記照明負荷の調光制御を指示する信号を送信するように構成された通信部と、
前記制御入力部において調光制御の指示が受け付けられたときに、調光制御の指示が受け付けられた前記制御入力部に対し前記制御テーブルにおいて対応付けられた前記照明負荷を前記指示に従って調光動作させる信号を送信するように前記通信部を制御する制御部とを備え、
前記記憶部には、名称と前記照明負荷との対応関係を示す名称テーブルが記憶されていて、
前記入力部は、前記制御入力部を選択する入力を受け付ける選択入力部と、名称の入力を受け付ける名称入力部とを有し、
前記制御部は、前記選択入力部により前記制御入力部が選択された状態で、前記名称テーブルに含まれる名称のいずれかが前記名称入力部に入力された場合、前記名称入力部に入力された名称に前記名称テーブルで対応付けられた前記照明負荷を、選択されている前記制御入力部に対して対応付けるように、前記制御テーブルを更新することを特徴とする調光操作卓。
【請求項２】
前記制御部は、前記選択入力部により前記制御入力部が選択されている状態で、前記名称テーブルに含まれない名称が前記名称入力部に入力された場合、その名称を、選択されている前記制御入力部に対し前記制御テーブルで対応付けられている前記照明負荷に対応付けて、前記名称テーブルに追加することを特徴とする請求項１記載の調光操作卓。
【請求項３】
前記制御部は、前記選択入力部により前記制御入力部が選択された状態で、前記名称テーブルにおいて前記照明負荷との対応付けが複数通り存在する名称が前記名称入力部に入力された場合、前記照明負荷との対応付けのうちの１個を選択する操作を前記入力部において受け付け、選択された対応付けに係る前記照明負荷を、選択されている前記制御入力部に対応付けるように、前記制御テーブルを更新することを特徴とする請求項１または請求項２記載の調光操作卓。
【請求項４】
請求項１〜３のいずれか１項に記載の調光操作卓と、
複数個の前記照明負荷と、
前記調光操作卓の前記通信部から受信された信号に従って前記照明負荷への給電を制御する調光盤とを備えることを特徴とする照明制御システム。
【発明の詳細な説明】
【技術分野】
【０００１】
本発明は、調光操作卓及び該調光操作卓を用いた照明制御システムに関するものである。
【背景技術】
【０００２】
従来、複数個の照明負荷の調光制御に用いられる調光操作卓が提供されている（例えば、特許文献１参照）。
【０００３】
調光操作卓は複数個のフェーダを備え、各フェーダはそれぞれ少なくとも１個ずつの照明負荷に予め対応付けられる。いずれかのフェーダが操作されると、調光操作卓は、該フェーダの操作状態と該フェーダが予め対応付けられた照明負荷とに応じた制御信号を送信し、この制御信号を受けた調光盤が照明負荷への給電を制御する。この結果、上記の照明負荷は、上記のフェーダの操作状態に応じた光束で点灯するように制御（すなわち調光制御）される。１個のフェーダに複数個の照明負荷が対応付けられている場合、複数個の照明負荷が上記１個のフェーダの操作状態に応じて一括して制御（いわゆるグループ制御）される。
【０００４】
上記のような調光操作卓では、使用の前に、各照明負荷をそれぞれフェーダに対応付ける、いわゆるパッチ作業を行う必要がある。
【先行技術文献】
【特許文献】
【０００５】
【特許文献１】特開平７−１７６３８６号公報
【発明の概要】
【発明が解決しようとする課題】
【０００６】
従来は、上記のパッチ作業の際、対応付けられるフェーダと、対応付けられる照明負荷とを指定する必要があった。特に、対応付けられる照明負荷の指定は、照明負荷毎に予め割り当てられた番号（いわゆる回路番号）を入力することで行われていた。このため、パッチ作業の際には照明負荷毎の回路番号を把握しておく必要があったので、パッチ作業が比較的に煩わしかった。
【０００７】
本発明は、上記事由に鑑みて為されたものであり、その目的は、パッチ作業が比較的に容易な調光操作卓及び該調光操作卓を用いた照明制御システムを提供することにある。
【課題を解決するための手段】
【０００８】
本発明の調光操作卓は、照明負荷に対する調光制御の指示を受け付ける複数個の制御入力部を有して操作入力を受け付ける入力部と、前記制御入力部と前記照明負荷との対応関係を示す制御テーブルが記憶された記憶部と、前記照明負荷の調光制御を指示する信号を送信するように構成された通信部と、前記制御入力部において調光制御の指示が受け付けられたときに、調光制御の指示が受け付けられた前記制御入力部に対し前記制御テーブルにおいて対応付けられた前記照明負荷を前記指示に従って調光動作させる信号を送信するように前記通信部を制御する制御部とを備え、前記記憶部には、名称と前記照明負荷との対応関係を示す名称テーブルが記憶されていて、前記入力部は、前記制御入力部を選択する入力を受け付ける選択入力部と、名称の入力を受け付ける名称入力部とを有し、前記制御部は、前記選択入力部により前記制御入力部が選択された状態で、前記名称テーブルに含まれる名称のいずれかが前記名称入力部に入力された場合、前記名称入力部に入力された名称に前記名称テーブルで対応付けられた前記照明負荷を、選択されている前記制御入力部に対して対応付けるように、前記制御テーブルを更新することを特徴とする。
【０００９】
本発明の照明制御システムは、上記いずれかの調光操作卓と、複数個の前記照明負荷と、前記調光操作卓の前記通信部から受信された信号に従って前記照明負荷への給電を制御する調光盤とを備えることを特徴とする。
【発明の効果】
【００１０】
本発明によれば、制御入力部に対して照明負荷を対応付けるパッチ作業の際には、照明負荷の指定が名称の入力により行われるので、照明負荷の指定が番号の入力により行われる場合に比べてパッチ作業が容易となる。
【図面の簡単な説明】
【００１１】
【図１】本発明の実施形態に係る照明制御システムを示すブロック図である。
【図２】上記の照明制御システムの概略を示す説明図である。
【図３】上記の表示部における表示の一例の入力欄付近を示す説明図である。
【図４】上記の表示部における表示の一例の照明マーク付近を示す説明図である。
【図５】上記の表示部における表示の別の例の照明マーク付近を示す説明図である。
【図６】上記の表示部における表示の別の例の入力欄付近を示す説明図である。
【図７】上記の表示部における表示の更に別の例の入力欄付近を示す説明図である。
【発明を実施するための形態】
【００１２】
本発明の調光操作卓１は、照明負荷２に対する調光制御の指示を受け付ける複数個の制御入力部１１１を有する入力部１１と、制御入力部１１１と照明負荷２との対応関係を示す制御テーブル１２１が記憶された記憶部１２とを備える。また、調光操作卓１は、照明負荷２の調光制御を指示する信号を送信するように構成された通信部１３と、通信部１３を制御する制御部１５とを備える。制御部１５は、制御入力部１１１において調光制御の指示が受け付けられたときに、調光制御の指示が受け付けられた制御入力部１１１に対し制御テーブル１２１において対応付けられた照明負荷２を上記の指示に従って調光動作させる信号を送信するように通信部１３を制御する。記憶部１２には、名称と照明負荷２との対応関係を示す名称テーブル１２２が記憶されている。入力部１１は、制御入力部１１１を選択する入力を受け付ける選択入力部１１２と、名称の入力を受け付ける名称入力部１１３とを有する。制御部１５は、選択入力部１１２により制御入力部１１１が選択された状態で、名称テーブル１２２に含まれる名称のいずれかが名称入力部１１３に入力された場合、制御テーブル１２１を更新する。この更新においては、名称入力部１１３に入力された名称に名称テーブル１２２で対応付けられた照明負荷２が、選択されている制御入力部１１１に対して対応付けられる。
【００１３】
上記の調光操作卓１において、制御入力部１１１が選択入力部１１２により選択された状態で、名称テーブル１２２に含まれない名称が名称入力部１１３に入力された場合を考える。この場合、制御部１５は、上記の名称を、選択されている制御入力部１１１に対し制御テーブル１２１で対応付けられた照明負荷２に対応付けて、名称テーブル１２２に追加することが望ましい。
【００１４】
上記の調光操作卓１において、選択入力部１１２により制御入力部１１１が選択された状態で、名称テーブル１２２において照明負荷２との対応付けが複数通り存在する名称が名称入力部１１３に入力された場合を考える。この場合、制御部１５は、照明負荷２との対応付けのうちの１個を選択する操作を入力部１１において受け付け、選択された対応付けに係る照明負荷２を、選択されている制御入力部１１１に対応付けるように、制御テーブル１２１を更新することが望ましい。
【００１５】
本発明の照明制御システムは、上記いずれかの調光操作卓１と、複数個の照明負荷２と、調光操作卓１の通信部１３から受信された信号に従って照明負荷２への給電を制御する調光盤３とを備えることを特徴とする。
【００１６】
以下、本発明を実施するための最良の形態について、図面を参照しながら説明する。
【００１７】
図１及び図２に示すように、本実施形態の照明制御システムは、操作入力を受け付ける調光操作卓１と、複数個の照明負荷２と、調光操作卓１から入力される信号に従って照明負荷２への給電を制御する調光盤３とを備える。
【００１８】
照明負荷２は、例えば舞台照明であり、白熱灯や放電灯や発光ダイオードといった、周知の電気的な光源を用いて実現することができる。なお、ここでいう照明負荷２の個数は、調光盤３を基準としたものである。すなわち、構造的に複数個に見える場合であっても、例えば調光盤３に対し互いに直列に接続されて１個の直列回路として一括して給電を制御されるなど、調光盤３による個別の制御が不可能である場合には、１個の照明負荷２として扱われる。逆に、構造的に一体化されている場合であっても、調光盤３による個別の制御が回路的に可能とされていれば、別々の照明負荷２として扱われる。
【００１９】
調光盤３は、例えば外部の電源（図示せず）から照明負荷２への給電量を制御することで、照明負荷２の点灯・消灯を切り替えるオンオフ制御や照明負荷２の光束を変更する調光制御といった制御を行う。調光制御の具体的な方法としては、照明負荷２の種別に応じて、位相制御や、ＰＷＭ制御や、電流制御といった、周知の方法を適宜用いることができる。
【００２０】
調光操作卓１は、操作入力を受け付ける入力部１１と、不揮発性メモリからなる記憶部１２と、照明負荷２の調光制御を指示する信号（以下、「制御信号」と呼ぶ。）を調光盤３に送信するように構成された通信部１３と、各種の表示を行う表示部１４とを備える。また、調光操作卓１は、入力部１１に受け付けられた操作入力と記憶部１２に記憶された情報とに応じて通信部１３と表示部１４とを制御する制御部１５を備える。
【００２１】
入力部１１は、照明負荷２に対する調光制御の指示を受け付ける複数個の制御入力部１１１を有する。制御入力部１１１としては、例えば、操作力を受けて直線状に変位するツマミを有する可変抵抗器（いわゆるフェーダ）や、操作力を受けて回転するツマミを有する可変抵抗器（いわゆるボリューム）を用いることができる。
【００２２】
また、記憶部１２には、制御入力部１１１と照明負荷２との対応関係を示す制御テーブル１２１が記憶されている。
【００２３】
制御部１５は、制御入力部１１１で調光制御の指示が受け付けられたときに、その制御入力部１１１に対し制御テーブル１２１において対応付けられた照明負荷２を上記調光制御に従って調光動作させる制御信号を調光盤３へ送信するように通信部１３を制御する。上記の制御信号を受けた調光盤３によって給電量を制御される結果、照明負荷２は、例えば、その照明負荷２に対し制御テーブル１２１で予め対応付けられた制御入力部１１１としてのフェーダのツマミの位置に応じた光束で点灯（調光動作）する。また、制御入力部１１１への入力に応じて、例えばフェーダのツマミが可動範囲の一端にあるときに、照明負荷２が消灯制御されてもよい。制御テーブル１２１において１個の制御入力部１１１に対して複数個の照明負荷２が対応付けられている場合、上記１個の制御入力部１１１を用いた制御は、上記複数個の照明負荷２が一括して制御される、いわゆるグループ制御となる。上記のような制御部１５は例えばマイコンを用いて周知技術で実現することができる。
【００２４】
通信部１３が送信する制御信号は有線信号であっても無線信号であってもよく、いずれの場合にも通信部１３は周知技術で実現可能である。
【００２５】
表示部１４としては、例えば液晶パネルのような周知のディスプレイ装置を用いることができる。
【００２６】
さらに、入力部１１は、制御入力部１１１を選択する入力を受け付ける選択入力部１１２と、名称の入力を受け付ける名称入力部１１３とを有する。
【００２７】
選択入力部１１２としては、例えばタッチパネルやマウスなどの周知のポインティングデバイスを用いることができる。
【００２８】
また、名称入力部１１３としては例えば周知のキーボードを用いることができる。
【００２９】
さらに、制御入力部１１１として、画面上に表示されポインティングデバイスによって操作される仮想的なフェーダを用いる場合、制御入力部１１１と選択入力部１１２とに１個のポインティングデバイスを兼用することができる。また、名称入力部１１３として、画面上に表示されポインティングデバイスによって操作される仮想的なキーボード（いわゆるソフトウェアキーボード）を用いる場合、名称入力部１１３にも上記のポインティングデバイスを兼用することができる。
【００３０】
以下、制御テーブル１２１が更新される際の動作について説明する。
【００３１】
図３に示すように、表示部１４の例えば下端部には、制御入力部１１１に一対一に対応する複数個の入力欄１４１が左右に並べて表示される。入力欄１４１の上側には、制御入力部１１１に予め割り当てられたチャンネル番号（図３ではＣＨ欄の番号であり、１，２，３等）が表示される。これら入力欄１４１のいずれかが選択入力部１１２によって選択されると、選択された入力欄１４１に対応する制御入力部１１１が選択された状態となる。どの入力欄１４１が選択されているのかを使用者が認識できるように、制御部１５は、例えば選択されている入力欄１４１のみを反転表示、または、選択されている入力欄１４１内にカーソルを表示するように表示部１４を制御する。また、表示部１４において例えば入力欄１４１の上側には、図４に示すように、照明負荷２に一対一に対応する照明マーク１４２が、照明負荷２毎に予め割り当てられた番号（いわゆる回路番号）とともに、地図上に表示される。いずれかの入力欄１４１が選択された状態で、選択入力部１１２により照明マーク１４２が選択されると、選択された照明マーク１４２の選択状態・非選択状態が交互に切り替わる。初期状態では全ての照明マーク１４２は非選択状態であって消灯状態で表示される。また、選択状態である照明マーク１４２は、点灯状態または点滅状態で表示される。さらに、図３に示すように、入力欄１４１には、選択状態にある照明マーク１４２に対応する照明負荷２の回路番号が表示される。なお、照明負荷２の回路番号は、図３のようにアルファベットなど数字以外の文字と数字との組み合わせであってもよいし、数字のみであってもよい。上記のように入力欄１４１が選択された状態で照明マーク１４２が選択されると、選択状態である照明マーク１４２に対応する照明負荷２のみを、上記の入力欄１４１に対応する制御入力部１１１に対応付けるように、制御部１５は制御テーブル１２１を更新する。制御テーブル１２１において既に制御入力部１１１に対応付けられている照明負荷２に関しては、図５に示すように、対応付けられた制御入力部１１１のチャンネル番号（図５の例では１）が、照明マーク１４２に重ねて表示される。
【００３２】
また、記憶部１２には、名称と少なくとも１個ずつの照明負荷２との対応関係を示す名称テーブル１２２が記憶される。名称テーブル１２２は例えば下表のようなものである。下表の例では、回路番号（照明負荷Noの欄の番号）は数字のみからなる。
【００３３】
【表１】
2015201273.tif 000003
【００３４】
名称テーブル１２２の内容は入力部１１への操作入力により変更（更新）可能である。以下、名称テーブル１２２が更新される際の動作を説明する。
【００３５】
いずれかの入力欄１４１が選択された状態で、名称入力部１１３に名称が入力されると、図６に示すように、入力された名称（図６の例では「セット」）が上記の入力欄１４１に表示される。ここで、図６の例では、適宜の操作（例えば入力欄１４１の左側に表示されたボタン１４３のクリックなど）で、図３のように入力欄１４１に回路番号が表示される状態と、図６のように入力欄１４１に名称が表示される状態とが交互に切り替えられる。なお、入力欄１４１における表示としては、上記のように切り替える代わりに、図７に示すように、名称が表示される領域（図７での「名称」欄）と回路番号が表示される領域（図７での「ＤＩＭ」欄）とが入力欄１４１の中で分割されていてもよい。
【００３６】
また、上記のように名称入力部１１３に名称が入力されると、制御部１５は、入力された上記名称が名称テーブル１２２に含まれているか否かを判定する。
【００３７】
そして、入力された上記名称が名称テーブル１２２に含まれていた場合、制御部１５は、名称テーブル１２２に合わせて、全ての照明マーク１４２の選択状態・非選択状態を切り替えるとともに制御テーブル１２１を更新する。すなわち、制御部１５は、名称テーブル１２２で上記名称に対応付けられている照明負荷２に対応する照明マーク１４２のみを選択状態とし、その他の全ての照明マーク１４２を非選択状態とする。また、制御部１５は、上記選択された入力欄１４１に対応する制御入力部１１１に対応する照明負荷２を、名称テーブル１２２で上記名称に対応付けられた照明負荷２に一致させるように、制御テーブル１２１を更新する。さらに、制御部１５が、上記名称に対応付けられている照明負荷２を点灯させるように通信部１３を制御してもよい。
【００３８】
また、入力された上記名称が名称テーブル１２２に含まれていなかった場合、制御部１５は、入力された上記名称を名称テーブル１２２に追加する。このとき、名称テーブル１２２においては、追加される上記名称に、上記選択された入力欄１４１に対応する制御入力部１１１に制御テーブル１２１で対応付けられている全ての照明負荷２が対応付けられる。例えば、照明負荷２に対応付けられた名称「セット」が入力された入力欄１４１に、名称テーブル１２２にない名称「セット当て」が入力された場合、次表のように名称「セット当て」は「セット」と同じ照明負荷２に対応付けて名称テーブル１２２に追加される。
【００３９】
【表２】
2015201273.tif 000004
【００４０】
また、既に名称が入力された入力欄１４１が選択されている状態で、照明マーク１４２の選択状態・非選択状態の切替が行われた場合、制御部１５は、制御テーブル１２１と名称テーブル１２２との両方を更新する。すなわち、制御テーブル１２１においては、上記の入力欄１４１に対応する制御入力部１１１に対し、選択状態にある照明マーク１４２に対応する照明負荷２が対応付けられる。また、名称テーブル１２２においては、入力欄１４１に入力された上記名称に対し、選択状態にある照明マーク１４２に対応する照明負荷２が対応付けられる。
【００４１】
上記構成によれば、制御入力部１１１が選択された状態で、名称テーブル１２２に含まれる名称を入力することで、その名称に対し予め名称テーブル１２２において対応付けられた照明負荷２を一括して上記の制御入力部１１１に対応付けることができる。これにより、制御入力部１１１に対応付ける照明負荷２の指定が番号の入力により行われる場合に比べ、照明負荷２を制御入力部１１１に対応付けるパッチ作業が容易となる。
【００４２】
また、予め、照明負荷２と回路番号との対応関係を把握した使用者が名称テーブル１２２に適切な登録をしておけば、その後にパッチ作業を行う使用者は、名称を用いて照明負荷２を指定することができるから、回路番号を意識する必要がなくなる。
【００４３】
なお、制御テーブル１２１や名称テーブル１２２の更新は、選択の変更や名称の入力と同時に実行されてもよいし、所定の確定操作（例えば、確定ボタン（図示せず）の押し下げ）が行われたときに実行されてもよい。
【００４４】
また、制御入力部１１１が、表示部１４の画像に表示されポインティングデバイスによって操作される仮想的なフェーダである場合、上記画像において入力欄１４１は対応する上記フェーダに近接配置されていることが望ましい。この場合、使用者は、チャンネル番号を意識せずとも、制御入力部１１１と入力欄１４１との対応関係を直観的に把握することができるから、利便性が向上する。
【００４５】
ここで、既に制御入力部１１１に対応付けられている照明負荷２を他の制御入力部１１１に対応付けるような操作が行われた場合、上記の照明負荷２は、対応する制御入力部１１１を変更されてもよいし、複数個の制御入力部１１１に対応付けられてもよい。対応する制御入力部１１１を変更される場合、制御テーブル１２１においては、変更前に上記の照明負荷２が対応していた制御入力部１１１と上記の照明負荷２との対応関係が解除される。また、１個の照明負荷２が複数個の制御入力部１１１に対応付けられる場合、制御部１５は、上記１個の照明負荷２を、上記複数個の制御入力部１１１のうち例えば最も高い光束を指示する制御入力部１１１に従わせるように、通信部１３を制御する。
【００４６】
また、名称テーブル１２２において、次表のように、１個の名称に、照明負荷２の組み合わせが複数通り対応付けられていてもよい。例えば、既に名称が入力された入力欄１４１が選択されている状態で、照明マーク１４２の選択状態・非選択状態の切替が行われた場合に、選択状態である照明マーク１４２に対応する照明負荷２と上記名称との対応付けが名称テーブル１２２に追加される。この場合、上記名称に対する上記切替以前の対応付けはそのまま名称テーブル１２２に残る。
【００４７】
【表３】
2015201273.tif 000005
【００４８】
この場合、制御部１５は、名称テーブル１２２において照明負荷２との対応付けが複数通り存在する名称（上記の例では「セット」）が名称入力部１１３に入力されたとき、対応付けのうちの１個を選択する操作を選択入力部１１２において受け付ける。そして、制御部１５は、選択された対応付けに係る照明負荷２を制御入力部１１１に対応付けるように制御テーブル１２１を更新する。例えば、上表の例においてID Noが２である対応付けが選択された場合、選択されている制御入力部１１１に対して回路番号（照明負荷No）が１，２，３，１４，１５の５個の照明負荷２が対応付けられるように、制御テーブル１２１が更新される。上記のように、対応付けのうちの１個を選択する操作が受け付けられることで、名称テーブル１２２において１個の名称に対して複数通りの対応付けが登録されている場合であっても、それら複数通りの対応付けを使用者の任意で使い分けることが可能となる。なお、上記の選択には、上記のように選択入力部１１２が用いられてもよいし、名称入力部１１３のボタン等が用いられてもよい。
【００４９】
上記のような名称に対する照明負荷２の対応付けが、選択後の確定操作により確定する場合、制御部１５は、確定操作がされるまで、選択されている対応付けに係る照明負荷２を点灯させるように、通信部１３を制御してもよい。また、例えば日本語のローマ字入力のように、名称の読みを入力したあとで表記を選択し確定操作することで入力が完了する場合でも、確定操作がされるまで、選択された表記の名称に対応付けられた照明負荷２が点灯されるようにしてもよい。
【符号の説明】
【００５０】
１  調光操作卓
２  照明負荷
３  調光盤
１１  入力部
１２  記憶部
１３  通信部
１５  制御部
１１１  制御入力部
１１２  選択入力部
１１３  名称入力部
１２１  制御テーブル
１２２  名称テーブル
【図１】
2015201273.tif 000006
【図２】
2015201273.tif 000007
【図３】
2015201273.tif 000008
【図４】
2015201273.tif 000009
【図５】
2015201273.tif 000010
【図６】
2015201273.tif 000011
【図７】
2015201273.tif 000012